(57)【特許請求の範囲】
【請求項１】
共用部分に配索された複数のケーブルを、前記共用部分から引込管を介して引き込んで複数の鞘管に分散させる際に、前記引込管と鞘管との間に介在される分散継手であって、
筒状に形成された本体と、
この本体の軸方向の一端に設けられ、前記引込管を挿入可能な円筒状に形成された引込管受口と、
前記本体の軸方向の他端に設けられ、前記ケーブルを分岐して挿通可能に複数設けられたスリーブと、
前記本体と引込管受口との少なくとも一方に設けられ、設置時に前記本体および引込管受口の軸心の真上となる位置を示す頂部目印と、
を備え、
前記頂部目印を前記軸心の真上に配置した設置状態で、前記同径のスリーブが水平方向に複数並設されてスリーブ水平組が形成されているとともに、前記スリーブ水平組が、上下に複数組設けられ、かつ、前記複数のスリーブ水平組が、下方に配置された組は、上方に配置された組のものよりも軸方向の長さが長く形成されていることを特徴とする分散継手。
【請求項２】
請求項１に記載の分散継手において、
前記引込管受口の外周に、係合部を備え、
この係合部を、前記頂部目印として、少なくとも設置状態で前記軸心の真上に配置されていることを特徴とする分散継手。
【請求項３】
共用部分に配索された複数のケーブルを、前記共用部分から引込管を介して引き込んで分散継手を介して水平方向に延びる複数の鞘管に分散させ、前記鞘管を上方に立ち上げて集約継手に接続させるケーブル引込構造であって、
前記分散継手は、
筒状に形成された本体と、
この本体の軸方向の一端に設けられ、前記引込管を挿入可能な円筒状に形成された引込管受口と、
前記本体の軸方向の他端に設けられ、前記ケーブルを分岐して挿通可能に複数設けられたスリーブと、
前記本体と引込管受口との少なくとも一方に設けられ、設置時に前記本体および引込管受口の軸心の真上となる位置を示す頂部目印と、
を備え、
前記頂部目印を前記軸心の真上に配置した設置状態で、前記同径のスリーブが水平方向に複数並設されてスリーブ水平組が形成されているとともに、前記スリーブ水平組が、上下に複数組設けられ、
前記分散継手から水平に延びる前記鞘管は、湾曲部にて上方に立ち上げられて前記集約継手において下方に向けて設けられたスリーブに接続されていることを特徴とするケーブル引込構造。
【発明の詳細な説明】
【技術分野】
【０００１】
本発明は、地下に埋設されて複数のケーブルが配索された共用溝などにおいて、共用溝部分から、複数のケーブルを分岐させて建物などに引き込む際に使用する分散継手およびケーブル引込構造に関するものである。
【背景技術】
【０００２】
従来、電力ケーブルや通信ケーブルなどの配線方法として、電柱を用いる架空線方式と地下設備を用いる地中化方式とが知られている。
地中化方式としては、電力線、電話線、ＣＡＴＶケーブル、光ファイバーなどの複数の電線管理者のケーブル類を同一の共用溝に配索させた、一般にＣＣ−ＢＯＸと称されるものが知られており、このうち、複数の通信系のケーブルを１本の共用管に配索させた共用ＦＡ方式と称されるものも知られている。
【０００３】
このような地中化方式では、地中の共用溝部分は、幹線道路の歩道下などに埋設されており、この共用溝部分から分岐された引込管の中を通して、個人の住宅などの敷地内にケーブルを引き込むようにしている。
【０００４】
このような引込部分において、例えば、特許文献１に記載された分散継手を用いることが知られている。
この分散継手は、共用溝部分から複数のケーブルを建物などに向けて敷設するのに用いられ、共用溝部分から分岐された引込管と、建物に向けて配索された複数の鞘管との間に介在されて、ケーブルを複数の鞘管内に分散させる。なお、鞘管は、地中から地上方向に向けて湾曲させ、建物や柱などの構造物に沿わせた集約継手のスリーブに接続され、ケーブルは、集約継手で集約され、必要に応じ建物に向けて配索させる。
【０００５】
分散継手は、複数のケーブルを通す筒状の本体と、本体の軸方向の一端に設けられて引込管を挿通する引込管受口と、本体の軸方向の他端に設けられて、本体に挿通された複数のケーブルをそれぞれ独立させて挿通させる複数のスリーブと、を備えている。
【０００６】
また、特許文献１に記載された分散継手では、スリーブが４本設けられており、本体に対し、本体の軸を中心として、十字を成すように、上下、左右に配置されている。
【先行技術文献】
【特許文献】
【０００７】
【特許文献１】意匠登録第１３４８３８２号公報
【発明の概要】
【発明が解決しようとする課題】
【０００８】
しかしながら、上述従来技術にあっては、分散継手のスリーブが、上述のように、本体の軸を中心として、上下左右の４箇所に配置されているため、以下に述べる問題を有していた。
【０００９】
すなわち、上述のように、地中の分散継手のスリーブと、地上の集約継手のスリーブとを鞘管で接続する場合、通常、鞘管の中間に、一定の半径で湾曲した管（例えば、半径５０ｃｍ）を用いる。
【００１０】
これを図６により説明すると、（ａ）に示すように、分散継手０１において、４本のスリーブ０１３ａ，０１３ｂ，０１３ｃ，０１３ｄが、上下左右に配置されている。
【００１１】
これらのスリーブ０１３ａ〜０１３ｄに鞘管０４を接続し、この鞘管０４は、同図（ｂ）に示すように、一定の曲率で上方に折曲された湾曲部０４ａを備えている。
この場合、各鞘管４の湾曲部０４ａの頂点の高さｈａ，ｈｂ，ｈｄは、それぞれ接続されたスリーブ０１３ａ〜ｄの高さの違いに応じて、ｈａ＞ｈｂ＞ｈｄの順で高くなり、３通りの高さが生じる。
そこで、この３通りの高さの湾曲部０４ａの頂点から立上直管を立ち上げて図外の集約継手の一定の高さのスリーブと接続するには、３通りの長さの立上直管が必要となる。
したがって、作業現場において、３本の直管の長さを調節する作業が必要になり、接続作業に手間がかかるという問題があった。
【００１２】
本発明は、上述の従来の問題点に着目して成されたもので、鞘管の接続作業の手間を省くことが可能な分散継手およびケーブル引込構造を提供することを目的とするものである。
【課題を解決するための手段】
【００１３】
上述の目的を達成するために本発明は、共用部分に配索された複数のケーブルを、前記共用部分から引込管を介して引き込んで複数の鞘管に分散させる際に、前記引込管と鞘管との間に介在される分散継手であって、筒状に形成された本体と、この本体の軸方向の一端に設けられ、前記引込管を挿入可能な円筒状に形成された引込管受口と、前記本体の軸方向の他端に設けられ、前記ケーブルを分岐して挿通可能に複数設けられたスリーブと、前記本体と引込管受口との少なくとも一方に設けられ、設置時に前記本体および引込管受口の軸心の真上となる位置を示す頂部目印と、を備え、前記頂部目印を前記軸心の真上に配置した設置状態で、前記同径のスリーブが水平方向に複数並設されてスリーブ水平組が形成されているとともに、前記スリーブ水平組が、上下に複数組設けられ、かつ、前記複数のスリーブ水平組が、下方に配置された組は、上方に配置された組のものよりも軸方向の長さが長く形成されていることを特徴とする分散継手とした。
【００１４】
また、請求項２に記載の発明では、請求項１に記載の分散継手において、前記引込管受口の外周に、係合部を備え、この係合部を、前記頂部目印として、少なくとも設置状態で前記軸心の真上に配置されていることを特徴とする分散継手とした。
【００１５】
また、請求項３に記載の発明では、共用部分に配索された複数のケーブルを、前記共用部分から引込管を介して引き込んで分散継手を介して水平方向に延びる複数の鞘管に分散させ、前記鞘管を上方に立ち上げて集約継手に接続させるケーブル引込構造であって、前記分散継手は、筒状に形成された本体と、この本体の軸方向の一端に設けられ、前記引込管を挿入可能な円筒状に形成された引込管受口と、前記本体の軸方向の他端に設けられ、前記ケーブルを分岐して挿通可能に複数設けられたスリーブと、前記本体と引込管受口との少なくとも一方に設けられ、設置時に前記本体および引込管受口の軸心の真上となる位置を示す頂部目印と、を備え、前記頂部目印を前記軸心の真上に配置した設置状態で、前記同径のスリーブが水平方向に複数並設されてスリーブ水平組が形成されているとともに、前記スリーブ水平組が、上下に複数組設けられ、前記分散継手から水平に延びる前記鞘管は、湾曲部にて上方に立ち上げられて前記集約継手において下方に向けて設けられたスリーブに接続されていることを特徴とするケーブル引込構造とした。
【発明の効果】
【００１６】
本発明の分散継手では、分散継手の設置時には、頂部目印が、本体あるいは引込管受口の軸心の真上に来るように位置決めを行なって設置する。
この設置状態では、同径のスリーブが水平方向に複数並設されたスリーブ水平組が、上下に複数組配置される。
【００１７】
したがって、スリーブに鞘管を接続させ、その鞘管の途中に、上下方向に湾曲した一定曲率の湾曲管が含まれている場合、同一高さのスリーブ水平組のスリーブに接続した鞘管は、湾曲部の頂点の高さも同じ高さに配置される。したがって、この同一高さの湾曲部と、集約継手の一定の高さのスリーブとを接続する立上直管は、同じ長さのものを用いることができる。
【００１８】
そして、本発明では、スリーブ水平組が、上下に複数設けられているため、それぞれの水平組では、接続した鞘管において、湾曲部から立ち上げる立上直管の共通化を図ることができる。
したがって、同径のスリーブの高さが異なって配置されたものと比較して、鞘管の湾曲部から立ち上げられる立上直管の長さ調節作業を簡略化でき、作業現場における鞘管の接続作業の手間を省くことが可能である。
また、分散継手の設置時に、同径のスリーブの高さを揃えてスリーブ水平組を形成する際に、頂部目印を基準として分散継手の上方からの視認により、正しい設置位置を知ることが可能で、頂部目印が無くスリーブの位置を目視して設置位置を確認するものと比較して、狭いスペースで正しい設置位置の確認が可能であり、作業性に優れる。
さらに、複数のスリーブ水平組が、下方に配置された組は、上方に配置された組のものよりも軸方向の長さを長く形成させたため、鞘管の湾曲部の立上位置が、スリーブ軸方向に異なって上下に重ならない。
したがって、上下の鞘管の湾曲部の立ち上がり部分が、上下で重ならないようにする作業が不要になり、作業現場での作業性に優れる。
【００１９】
請求項２に記載の発明では、分散継手の設置時に、係合部を頂点目印として、設置位置を確認することができる。
さらに、分散継手の引込管受口に引込管を挿入させる際に、外径方向に突出した係合部に、管挿入機のワイヤなどの管の外周に巻き付ける部材を係合させ、巻き付けを確実に行うことができる。
このように、頂部目印を、巻き付けの係合部として利用することができる。
【図面の簡単な説明】
【００２１】
【図１】本発明の実施の形態の実施例１の分散継手Ａを示す側面図である。
【図２】実施例１の分散継手Ａを示す正面図であり、図１において左方向から視た状態を示している。
【図３】実施例１の分散継手Ａを示す平面図である。
【図４】実施例１の分散継手Ａを用いた施工例を示す説明図であり、（ａ）側方から見た状態を示し、（ｂ）は上方から見下ろした状態を示している。
【図５】実施例１の分散継手Ａの作用の説明図である。
【図６】実施例１の分散継手Ａと比較する従来例を示す説明図であり、（ａ）は図２と同様の方向から視た正面図であり、（ｂ）は図５と同様の作用を示している。
【図７】実施例２の分散継手Ｂを示す側面図である。
【図８】実施例２の分散継手Ｂの作用説明図である。
【図９】実施例３の分散継手Ｃを示す図であり、（ａ）は背面図、（ｂ）は側面図である。
【図１０】実施例４の分断継手Ｄを示す正面図である。
【発明を実施するための形態】
【００２２】
以下、本発明の実施の形態を図面に基づいて説明する。
本実施の形態の分散継手は、共用部分（１）に配索された複数のケーブル（Ｃａ）を、前記共用部分（１）から引込管（３）を介して引き込んで複数の鞘管（４）に分散させる際に、前記引込管（３）と鞘管（４）との間に介在される分散継手（Ａ）であって、筒状に形成された本体（１１）と、この本体（１１）の軸方向の一端に設けられ、前記引込管（３）を挿入可能な円筒状に形成された引込管受口（１２）と、前記本体（１１）の軸方向の他端に設けられ、前記ケーブル（Ｃａ）を分岐して挿通可能に複数設けられたスリーブ（１３ａ，１３ｂ，１４ａ，１４ｂ）と、前記本体（１１）と引込管受口（１２）との少なくとも一方に設けられ、設置時に前記本体（１１）および引込管受口（１２）の軸心の真上となる位置を示す頂部目印（１１ａ，１２ａ）と、を備え、前記頂部目印（１１ａ，１２ａ）を前記軸心の真上に配置した設置状態で、前記同径のスリーブ（１３ａ，１３ｂ，１４ａ，１４ｂ）が水平方向に複数並設されてスリーブ水平組（１３，１４）が形成されているとともに、前記スリーブ水平組（１３，１４）が、上下に複数組設けられていることを特徴とする分散継手である。
【実施例１】
【００２３】
以下に、図１〜図６に基づいて、この発明の実施の形態の実施例１の分散継手Ａについて説明する。
実施例１の分散継手Ａは、共用ＦＡ方式と呼ばれる通信系次世代型電線共用溝からケーブルを住宅などに引き込むのに適用されている。
【００２４】
その引込構造の概要を図４により説明する。
公共の路面ＬＤなどに埋設された共用ＦＡ管１には、 光ファイバーなどからなる通信ケーブルＣａが複数配索されている。
【００２５】
本実施例１では、共用ＦＡ管１として、樹脂製のものを用いており、この共用ＦＡ管１から、住宅などの民地内に通信ケーブルＣａを引き込む場合、共用ＦＡ管１に樹脂製の分岐継手２を接続し、この分岐継手２の分岐管２１に樹脂製の引込管３を接続し、この引込管３の先端に樹脂製の分散継手Ａを接続する。なお、引込管３としては、例えば、フレキ管と称される可撓性を有した管が用いられている。
【００２６】
また、分散継手Ａには、複数（本実施例１では４本）の鞘管４が接続され、この鞘管４は、建物や柱などの建築構造物Ｈに支持された集約継手５のスリーブ５１に接続されている。なお、鞘管４は、水平方向に配索された直線状の管から成る水平直管４１と、水平直管４１に接続され、一定の曲率（例えば、半径５０ｃｍの円弧）で１／４の円弧状の湾曲管（湾曲部）４２と、湾曲管４２の上端に接続されて上方に延在され、集約継手５のスリーブ５１に接続される立上直管４３と、を接続させて形成されている。
【００２７】
共用ＦＡ管１内に配索された通信ケーブルＣａは、分岐継手２の分岐管２１から、引込管３、分散継手Ａ、鞘管４のそれぞれの中を通り、集約継手５に導かれ、この集約継手５から必要に応じ、住宅などに導かれる。
【００２８】
次に、分散継手Ａの構造について、図１〜図３に基づいて説明する。
分散継手Ａは、図１、図２に示すように、本体１１と、引込管受口１２と、第１スリーブ１３ａおよび第２スリーブ１３ｂと、第３スリーブ１４ａおよび第４スリーブ１４ｂとを備えている。
【００２９】
本体１１は、円筒状に形成されている。
引込管受口１２は、本体１１の一端に円錐部１５を介して一体的に設けられ、引込管３を挿入可能な内径の円筒状に形成されている。
【００３０】
また、本体１１と引込管受口１２との外周には、図１において本体１１および引込管受口１２の軸心の真上となる位置を示す頂部目印１１ａ，１２ａが設けられている。これらの頂部目印１１ａ，１２ａは、本実施例１では、本体１１および引込管受口１２の外周面から僅かに外径方向に突出されて円筒の軸方向に沿う方向に延在された凸条により形成されている。
【００３１】
第１〜第４スリーブ１３ａ，１３ｂ，１４ａ，１４ｂは、それぞれ、本体１１の引込管受口１２が設けられているのとは反対側の端部に設けられて、本体１１の端面を塞ぐ底壁１６（図２参照）に立設されており、鞘管４の水平直管４１を挿入可能な同一内径の円筒受口として形成されている。
【００３２】
さらに、第１〜第４スリーブ１３ａ，１３ｂ，１４ａ，１４ｂは、図２に示すように、頂部目印１１ａを本体１１および引込管受口１２の軸心の真上に配置させた状態で、第１スリーブ１３ａと第２スリーブ１３ｂとが同じ高さＨａに水平に並設されて上側スリーブ水平組１３が構成されるとともに、両スリーブ１３ａ，１３ｂの下方に重なるように、第３スリーブ１４ａと第４スリーブ１４ｂとが、高さＨａよりも寸法Ｓだけ低い高さＨｂに水平に並設されて、下側スリーブ水平組１４が構成される。
【００３３】
また、下側スリーブ水平組１４の第３スリーブ１４ａおよび第４スリーブ１４ｂは、第１スリーブ１３ａおよび第２スリーブ１３ｂと比べて、寸法Ｌｂだけ全長が長く形成されている。
【００３４】
なお、集約継手５のスリーブ５１において、図４（ｂ）における左右方向の寸法Ｌａは、両スリーブ水平組１３，１４における長さの差Ｌｂに一致する寸法に設定されている。
【００３５】
次に、実施例１の作用を説明する。
本実施例１の分散継手Ａを用いて、共用ＦＡ管１から通信ケーブルＣａの引き込みを行なう場合、上述のように、共用ＦＡ管１に分岐継手２を取り付け、その分岐管２１に引込管３を接続し、この引込管３を分散継手Ａの引込管受口１２に接続する。
また、分散継手Ａを設置する際には、頂部目印１１ａ，１２ａが、本体１１および引込管受口１２の軸心の真上であって上端に配置されるように設置する。
【００３６】
このように設置された分散継手Ａに、図４に示すように、鞘管４を接続した場合、上側スリーブ水平組１３を構成する第１スリーブ１３ａおよび第２スリーブ１３ｂに接続された鞘管４では、図５に示すように、鞘管４の湾曲管４２の上端は、それぞれ高さｈａに配置される。同様に、下側スリーブ水平組１４を構成する第３スリーブ１４ａおよび第４スリーブ１４ｂに接続した鞘管４の湾曲管４２の上端は、それぞれ高さｈｂに配置される。なお、両高さｈａ，ｈｂの差ｓは、前述した上側スリーブ水平組１３と下側スリーブ水平組１４との高さの差Ｓに等しい。また、鞘管４において、それぞれ水平直管４１は、同じ長さのものを使用している。
【００３７】
したがって、鞘管４において、各湾曲管４２に立上直管４３を接続した場合、立上直管４３の長さは、上側スリーブ水平組１３の第１スリーブ１３ａおよび第２スリーブ１３ｂに接続された鞘管４のものは、同じ長さになり、かつ、下側スリーブ水平組１４の第３スリーブ１４ａおよび第４スリーブ１４ｂに接続された鞘管４のものも、同じ長さになる。
【００３８】
よって、この引込作業現場では、立上直管４３の長さの調節は、２種類の長さに調節する作業で済む。この長さの調節としては、長さが足りない立上直管４３に円筒状のソケットを追加するか、あるいは、長さが余った立上直管４３を、必要な長さに切断する作業となる。この場合、両スリーブ水平組１３，１４に接続した鞘管４の一方の立上直管４３の長さが最適の長さであれば、もう一方の立上直管４３の長さの調節だけで済ませることも可能である。
【００３９】
以上説明したように、本実施例１の分散継手Ａでは、以下に列挙する効果が得られる。
ａ）分散継手Ａにおいて、４本の各スリーブ１３ａ，１３ｂ，１４ａ，１４ｂのうち、第１スリーブ１３ａと第２スリーブ１３ｂとを同じ高さに配置して上側スリーブ水平組１３を形成し、また、この上側スリーブ水平組１３の下方に、第３スリーブ１４ａと第４スリーブ１４ｂとを、同じ高さに配置して下側スリーブ水平組１４を形成した。
このため、各スリーブ１３ａ，１３ｂ，１４ａ，１４ｂに接続した鞘管４を集約継手５のスリーブ５１に接続させる際に、鞘管４の立上直管４３の長さが、２通りの長さで済み、作業現場における立上直管４３の長さの調節作業が簡略化される。
【００４０】
すなわち、分散継手０１が、図６に示すような特許文献１に記載のものと同じ配置の場合、鞘管０４の湾曲部０４ａの高さは、３種類の高さが生じるため、立上直管４３として３通りの長さが必要になり、実施例１のように２種類の高さのものと比較して、長さの調節作業の手間が増える。
【００４１】
ｂ）上記ａ）の効果を得るべく、第１、第２スリーブ１３ａ，１３ｂを同じ高さに配置するとともに、第３、第４スリーブ１４ａ，１４ｂを同じ高さに配置させるように分散継手Ａを設置するのに、頂部目印１１ａ，１２ａを設け、これら頂部目印１１ａ，１２ａが軸心の真上に配置されるように本体１１および引込管受口１２の周方向の位置を調節して設置するようにした。
したがって、各スリーブ１３ａ，１３ｂ，１４ａ，１４ｂの実際の位置を確認しながら分散継手Ａの設置を行なうものと比較して、これら各スリーブ１３ａ，１３ｂ，１４ａ，１４ｂを所望の位置に配置させる確認が行い易い。また、この位置の確認も、上方から視認すればよいため、各スリーブ１３ａ，１３ｂ，１４ａ，１４ｂの位置を確認するのと比較して必要なスペースが少なくて済み、路面ＬＤなどの掘り起こし面積も少なくすませることが可能となる。
【００４２】
ｃ）各スリーブ１３ａ，１３ｂ，１４ａ，１４ｂは、設置時に下に配置される第３，第４スリーブ１４ａ，１４ｂを、第１、第２スリーブ１３ａ，１３ｂと比較して長く形成した。このため、同じ長さの水平直管４１を接続して、湾曲管４２で立ち上げたときに湾曲管４２どうしが干渉することがない。このように、湾曲管４２の干渉防止を、水平直管４１の長さを調節すること無しに行うことができ、その分、作業の手間を削減できる。
【００４３】
ｄ）頂部目印１１ａ，１２ａを、本体１１と引込管受口１２との両方に設けたため、いずれか一方のみに設けたものよりも、上端位置の確認がし易い。
【００４４】
（他の実施例）
以下に、本発明の実施の形態の他の実施例について説明する。なお、以下の実施例は、実施例１の変形例であるため、実施例１との相違点のみを説明し、実施例１と同様の構成を図示する場合には実施例１と同じ符号を付けて説明を省略する。また、実施例１と同様の作用効果についても説明を省略する。
【実施例２】
【００４５】
この実施例２は、引込管受口１２に、管挿入機Ｆ用の係合部２１２ａ，２１２ｂを設け、これを頂部目印とした例である。
すなわち、図７は実施例２の分散継手Ｂを示しており、引込管受口２１２の上下の２カ所に係合部２１２ａ，２１２ｂが設けられている。なお、本体１１には、実施例１と同様に、頂部目印１１ａが設けられているが、これを省略してもよい。
【００４６】
また、本実施例２では、実施例１と同様の位置に第１〜第４スリーブ（１３ａ）１３ｂ，（２１４ａ）２１４ｂが配置されている。なお、下側スリーブ水平組２１４を構成する第３スリーブ２１４ａおよび第４スリーブ２１４ｂは、第１、第２スリーブ１３ａ，１３ｂと同じ長さに形成されており、両スリーブ２１４ａ，２１４ｂには、ソケット２００を装着して、実施例１のものと同様の長さとしている。
【００４７】
管挿入機Ｆは、図８に示すように、一対のワイヤ部材１０１，１０２と、挿入機本体１０３とを備え、挿入機本体１０３には、一対のフック１０４，１０５が設けられている。挿入機本体１０３は、両フック１０４，１０５を引き出すことが可能であるとともに、ハンドル１０６を上下させると、両フック１０４，１０５を引き込んで、両フック１０４，１０５の相対間隔を狭める機構が設けられている。
【００４８】
上述のような構成の実施例２では、分散継手Ｂの設置時には、頂部目印１１ａおよび係合部２１２ａが、本体１１および引込管受口２１２の軸心の真上であって上端に配置されるように設置する。
次に、設置した分散継手Ｂの引込管受口２１２に引込管３を挿入する場合、まず、図８に示すように、ワイヤ部材１０１，１０２を、引込管３と引込管受口２１２とに巻き付ける。このとき、引込管受口２１２では、係合部２１２ａ，２１２ｂにワイヤ部材１０１を軸方向に引っ掛けて巻き付ける。
【００４９】
次に、挿入機本体１０３のフック１０４，１０５を、各ワイヤ部材１０１，１０２に係合させた後、ハンドル１０６を上下させて両フック１０４，１０５を引き込んで、両ワイヤ部材１０１，１０２を相対的に近付けながら、引込管受口２１２に引込管３を挿入させる。
【００５０】
このように、管挿入機Ｆを用いて引込管３を引込管受口２１２に挿入させることで、引込管３の押し込み作業を行うのに十分な作業スペースが確保されていなくても、確実に、引込管３を引込管受口２１２に挿入させることができる。
また、実施例２の場合、係合部２１２ａを頂部目印として利用でき、頂部目印と係合部２１２ａとの両方を設けたものと比較して、構造を簡略化できる。
さらに、実施例２では、上下の鞘管４の湾曲管４２が上下で重ならないように鞘管４の水平方向の位置を調節するのにあたり、第３、第４スリーブ２１４ａ，２１４ｂにソケット２００を装着させるだけであり、作業現場における長さ調節作業が容易である。
【００５１】
なお、他の作用は、実施例１と同様であり、実施例１と同様のａ）ｂ）ｄ）の効果を得ることができる。
【実施例３】
【００５２】
次に、実施例３の分散継手Ｃは、実施例２の変形例であり、係合部を周方向に９０度間隔で４カ所に設けた例である。
すなわち、実施例３では、図９に示すように、引込管受口２１２に、実施例２の係合部２１２ａ，２１２ｂに加えて、係合部２１２ｃ，２１２ｄが設けられている。
このように構成した実施例３にあっては、管挿入機Ｆのワイヤ部材１０１に対する引込管受口２１２の係合力を高めることができる。
なお、他の作用効果は、実施例２と同様である。
【実施例４】
【００５３】
次に、実施例４の分散継手Ｄは、第１〜第４スリーブ４１３ａ，４１３ｂ，４１４ａ，４１４ｂの形状を実施例１〜３と異ならせた例である。
【００５４】
すなわち、上側スリーブ水平組４１３を構成する第１、第２スリーブ４１３ａ，４１３ｂに対して、下側スリーブ水平組４１４を構成する第３、第４スリーブ４１４ａ，４１４ｂが大径に形成されている。この実施例４では、第１、第２スリーブ４１３ａ，４１３ｂに接続する鞘管４と、第３、第４スリーブ４１４ａ，４１４ｂに接続する鞘管４との径が異なるが、それぞれ、同組のスリーブ４１３ａ，４１３ｂ，４１４ａ，４１４ｂは、同じ高さに配置される。このため、上側スリーブ水平組４１３の第１、第２スリーブ４１３ａ，４１３ｂに接続される鞘管４としては、水平直管４１、湾曲管４２、立上直管４３とも、同じ長さのものを使用でき、同様に、下側スリーブ水平組４１４の第３、第４スリーブ４１４ａ，４１４ｂに接続される鞘管４としても、水平直管４１、湾曲管４２、立上直管４３とも、同じ長さのものを使用できる。
【００５５】
他の作用効果については、実施例１と同様であり、上記ａ）ｂ）ｄ）の効果を得ることができる。
【００５６】
以上、図面を参照して、本発明の実施の形態および実施例１〜実施例４を詳述してきたが、具体的な構成は、この実施の形態および実施例１〜実施例４に限らず、本発明の要旨を逸脱しない程度の設計的変更は、本発明に含まれる。
【００５７】
例えば、実施例１〜４では、スリーブを４本設けた例を示したが、その本数は、４に限定されるものではなく、５本以上設けてもよい。この場合、同径のスリーブ水平組として２本設けた例を示したが、例えば、３本以上設けてもよい。あるいは、同径のスリーブ水平組を、上下に２組設けた例を示したが、３組以上設けてもよい。
【００５８】
また、実施例１〜４では、頂部目印として、本実施例１では、本体１１および引込管受口１２の外周面から僅かに外径方向に突出されて円筒の軸方向に沿う方向に延在された凸状の頂部目印１１ａ，１２ａを示したが、これに限定されるものではなく、着色、凹溝、突起などの他の手段による目印を用いてもよい。
【００５９】
また、実施例１〜４では、分散継手として、樹脂製のものを示したが、これに限定されず、ステンレスなどの金属や、それらの組み合わせを用いてもよい。
【００６０】
また、実施例１〜４では、分散継手の本体として、円筒状のものを示したが、本体は、筒状であれば、円筒に限定されず、多角筒などの他の形状のものを用いてもよい。
【００６１】
また、実施例１〜４では、共用部分として、共用ＦＡ方式に用いる共用ＦＡ管１を示したが、これに限定されず、ボックス部などの管以外の部分としてもよい。
【符号の説明】
【００６２】
Ａ     分散継手
Ｂ     分散継手
Ｃ     分散継手
Ｄ     分散継手
Ｃａ   通信ケーブル
１     共用ＦＡ管（共用部分）
３     引込管
４     鞘管
５     集約継手
１１   本体
１１ａ 頂部目印
１２ａ 頂部目印
１２   引込管受口
１３   上側スリーブ水平組
１３ａ 第１スリーブ
１３ｂ 第２スリーブ
１４   下側スリーブ水平組
１４ａ 第３スリーブ
１４ｂ 第４スリーブ
２１２ 引込管受口
２１２ａ  係合部
２１２ｂ  係合部
２１４ 下側スリーブ水平組
２１４ａ  第３スリーブ
２１４ｂ  第４スリーブ
４１３ 上側スリーブ水平組
４１３ａ  第１スリーブ
４１３ｂ  第２スリーブ
４１４ 下側スリーブ水平組
４１４ａ  第３スリーブ
４１４ｂ  第４スリーブ
【図１】
0005485649.tif 000002
【図２】
0005485649.tif 000003
【図３】
0005485649.tif 000004
【図４】
0005485649.tif 000005
【図５】
0005485649.tif 000006
【図６】
0005485649.tif 000007
【図７】
0005485649.tif 000008
【図８】
0005485649.tif 000009
【図９】
0005485649.tif 000010
【図１０】
0005485649.tif 000011